(57)【要約】【課題】時計の指示時刻を簡便に修正することができる時刻修正装置を提供する。【解決手段】時刻修正装置１は、時計２を載置される載置台１１と、載置台１１に載置された時計２の針２１の位置を検出する検出器１２と、載置台１１に載置された時計２のりゅうず２２を操作する操作機構１３と、内部時刻を計時する計時回路１４と、針２１の位置から、針２１により指示される指示時刻を取得し、内部時刻と指示時刻との差異に応じて操作機構１３を制御してりゅうず２２を回転させることにより、指示時刻を内部時刻に修正する制御回路３０とを備える。【選択図】図１
2020067409.tif 000002
【特許請求の範囲】
【請求項１】
時計が載置される載置台と、
前記載置台に載置された前記時計の針の位置を検出する検出器と、
前記載置台に載置された前記時計のりゅうずを操作する操作機構と、
内部時刻を計時する計時回路と、
前記針の位置から、前記針により指示される指示時刻を取得し、前記内部時刻と前記指示時刻との差異に応じて前記操作機構を制御して前記りゅうずを回転させることにより、前記指示時刻を前記内部時刻に修正する制御回路と
を備える時刻修正装置。
【請求項２】
前記制御回路は、前記りゅうずを回転させる前に前記操作機構を制御して、前記針が前記りゅうずの回転に連動する時刻修正位置に前記りゅうずを引き出す、請求項１に記載の時刻修正装置。
【請求項３】
前記制御回路は、前記りゅうずを引き出す力を時間の経過に連れて上昇させる、請求項２に記載の時刻修正装置。
【請求項４】
前記制御回路は、前記指示時刻が前記内部時刻に一致した時点で、前記操作機構を制御して、前記針が時刻に同期して駆動する通常位置に前記りゅうずを押し込む、請求項１乃至３の何れか１項に記載の時刻修正装置。
【請求項５】
前記制御回路は、前記時計のキャリバーに固有のパターンにより、前記操作機構を制御して前記りゅうずを操作する、請求項１乃至４に記載の時刻修正装置。
【請求項６】
前記検出器は、前記針によって指し示される、前記時計の文字板の目盛を含む画像を撮影することにより、前記針の位置を検出する、請求項１乃至５の何れか１項に記載の時刻修正装置。
【請求項７】
前記検出器は、固体撮像素子を用いた二次元イメージセンサーである、請求項１乃至６の何れか１項に記載の時刻修正装置。
【請求項８】
載置台に載置された時計の針の位置を検出器により検出することと、
計時回路により内部時刻を計時することと、
前記針の位置から、前記針により指示される指示時刻を、制御回路により取得することと、
前記制御回路により、前記内部時刻と前記指示時刻との差異に応じて、前記載置台に載置された前記時計のりゅうずを操作する操作機構を制御して前記りゅうずを回転させることにより、前記指示時刻を前記内部時刻に修正することと
を含む時刻修正方法。
【発明の詳細な説明】
【技術分野】
【０００１】
本発明は、時計の時刻修正装置及び時刻修正方法に関する。
【背景技術】
【０００２】
特許文献１は、機械式時計の時刻修正において、スマートフォンで撮影された画像や手動で入力された時刻によって機械式時計の表示時刻を取得し、裏蓋を開けて歯車を駆動することにより表示時刻を修正する技術を開示する。
【先行技術文献】
【特許文献】
【０００３】
【特許文献１】特開２０１６−９０５０７号公報
【発明の概要】
【発明が解決しようとする課題】
【０００４】
しかしながら、特許文献１に記載の技術は、裏蓋を開けた状態で露出される歯車を駆動することにより時計の時刻を修正するため、使用方法が煩雑であった。
【課題を解決するための手段】
【０００５】
本発明の一態様に係る時刻修正装置は、時計が載置される載置台と、前記載置台に載置された前記時計の針の位置を検出する検出器と、前記載置台に載置された前記時計のりゅうずを操作する操作機構と、内部時刻を計時する計時回路と、前記針の位置から、前記針により指示される指示時刻を取得し、前記内部時刻と前記指示時刻との差異に応じて前記操作機構を制御して前記りゅうずを回転させることにより、前記指示時刻を前記内部時刻に修正する制御回路とを備える。
【０００６】
上述の態様において、前記制御回路は、前記りゅうずを回転させる前に前記操作機構を制御して、前記針が前記りゅうずの回転に連動する時刻修正位置に前記りゅうずを引き出すようにしてもよい。
【０００７】
上述の態様において、前記制御回路は、前記りゅうずを引き出す力を時間の経過に連れて上昇させるように前記操作機構を制御するようにしてもよい。
【０００８】
上述の態様において、前記制御回路は、前記指示時刻が前記内部時刻に一致した時点で、前記操作機構を制御して、前記針が時刻に同期して駆動する通常位置に前記りゅうずを押し込むようにしてもよい。
【０００９】
上述の態様において、前記制御回路は、前記時計のキャリバーに固有のパターンにより、前記操作機構を制御して前記りゅうずを操作するようにしてもよい。
【００１０】
上述の態様において、前記検出器は、前記針によって指し示される、前記時計の文字板の目盛を含む画像を撮影することにより、前記針の位置を検出してもよい。
【００１１】
上述の態様において、前記検出器は、固体撮像素子を用いた二次元イメージセンサーであってもよい。
【００１２】
本発明の他の態様に係る時刻修正方法は、載置台に載置された時計の針の位置を検出器により検出することと、計時回路により内部時刻を計時することと、前記針の位置から、前記針により指示される指示時刻を、制御回路により取得することと、前記制御回路により、前記内部時刻と前記指示時刻との差異に応じて、前記載置台に載置された前記時計のりゅうずを操作する操作機構を制御して前記りゅうずを回転させることにより、前記指示時刻を前記内部時刻に修正することとを含む。
【図面の簡単な説明】
【００１３】
【図１】第１実施形態に係る時刻修正装置を説明する上面図。
【図２】時計の一例を説明する正面図。
【図３】第１実施形態に係る時刻修正装置の概略構成の一例を説明するブロック図。
【図４】操作部の一例を説明する、りゅうずの軸方向から見た正面図。
【図５】操作部の他の例を説明する、りゅうずの軸方向から見た正面図。
【図６】載置台において移動する操作機構を説明する上面図。
【図７】第１実施形態に係る時刻修正装置による時刻修正方法の一例を説明するフローチャート。
【図８】第１実施形態の第１変形例に係る時刻修正装置の一例を説明する正面図。
【図９】第１実施形態の第２変形例に係る時刻修正装置の一例を説明する側面図。
【図１０】第２実施形態に係る時刻修正装置により時刻を修正される時計の一例を説明する正面図。
【図１１】第２実施形態に係る時刻修正装置による時刻修正方法の一例を説明するフローチャート。
【図１２】図１１のフローチャートに続くフローチャート。
【図１３】第３実施形態に係る時刻修正装置に用いるキャリバー情報を説明する表。
【発明を実施するための形態】
【００１４】
以下、図面を参照して本発明の実施形態に係る時刻修正装置及び時刻修正方法を説明する。各実施形態は、本発明の技術的思想を具体化するための装置や方法を例示するものである。本発明の技術的思想は、構成部品の材質、形状、構造、配置等を下記のものに特定するものでない。図面においては、同一又は類似の要素には同一又は類似の符号をそれぞれ付して、重複する説明を省略する。図面は模式的であり、実際の寸法及び寸法の相対的比率、配置、構造等と異なる場合が含まれ得る。
【００１５】
なお、以下における上下左右等の方向の定義は、単に説明の便宜上の定義であって、本発明の技術的思想を限定するものでない。例えば、視線方向を軸として観察対象を９０°回転すれば上下は左右に、左右は上下に変換して理解され、１８０°回転すれば上下及び左右はそれぞれ反転して理解されることは勿論である。本発明の技術的思想は、特許請求の範囲に記載された技術的範囲内において、種々の変更を加えることができる。
【００１６】
［第１実施形態］
図１に示すように、第１実施形態に係る時刻修正装置１は、時計２が載置される載置台１１と、載置台１１に載置された時計２の針２１の位置を検出する検出器１２と、載置台１１に載置された時計２のりゅうず２２を操作する操作機構１３と、内部時刻を計時する計時回路１４と、制御回路３０とを備える。制御回路３０は、検出器１２により検出された針２１の位置から、針２１により指示される指示時刻を取得し、内部時刻と指示時刻との差異に応じて操作機構１３を制御してりゅうず２２を回転させることにより、指示時刻を内部時刻に修正する。
【００１７】
図２に示すように、時計２は、例えば、時針２１ａ、分針２１ｂ及び秒針２１ｃを備える機械式時計である。時計２は、例えばバンド２５によりユーザーの腕に装着される腕時計である。この場合、針２１は、時針２１ａ、分針２１ｂ及び秒針２１ｃの少なくとも何れかであると定義される。針２１は、検出器１２により検出された位置から、制御回路３０により指示時刻の少なくとも一部を取得可能な針であって、りゅうず２２の回転に連動して駆動される針であればよい。即ち、例えばりゅうずの回転により時及び分の調整を行う時計において、針２１は時針及び分針であり得る。りゅうずの回転により秒の調整が可能な時計において、針２１は秒針であり得る。
【００１８】
りゅうず２２は、時計２の構成部品を収容するケース２４から外部に突出して露出される。りゅうず２２は、軸方向、即ち図２における左右方向に段階的に移動する。例えば図２に示すように、りゅうず２２は、時計２における０段目の位置Ｐ０及び１段目の位置Ｐ１に段階的に移動する。時計２において位置Ｐ０は通常位置であり、位置Ｐ１は時刻修正位置である。例えば、りゅうず２２が通常位置にあるとき、針２１は時計２が計時する時刻に同期して駆動する。りゅうず２２が時刻修正位置にあるとき、針２１はりゅうず２２の回転に連動する。具体的には、りゅうず２２が位置Ｐ１にあるとき、秒針２１ｃは停止し、りゅうず２２の回転に連動して時針２１ａ及び分針２１ｂが時計回りに駆動する。時計２は、時刻を指示する針２１と、針２１を駆動するりゅうず２２を備えるものであれば、アナログクオーツ時計等の他の方式の時計であってもよい。
【００１９】
例えば、時刻修正装置１は、図１に示すように、検出器１２、計時回路１４及び制御回路３０を含む部品を収容する筐体１０を備える。載置台１１は、筐体１０の上部をなし得る。載置台１１は、例えば光を透過させる検出窓１１０を有する。時計２は、針２１及び文字板２３を表示する表示面ｄ（図２参照）が下になる状態で、載置台１１の上面に載置される。時刻修正装置１は、操作機構１３がりゅうず２２を操作することによるケース２４の変位を規制する規制部１９を更に備える。規制部１９は、ユーザーが時計２を載置台１１に載置する際に時計２に接触してケース２４を所定位置にガイドする起伏を有していてもよく、時計２を２以上の方向からチャッキングしてケース２４を所定位置に固定するようにしてもよい。規制部１９は、バンド２５に巻かれることによりケース２４の変位を規制するようにしてもよい。即ち、規制部１９は、人間の腕のようにバンド２５を巻かれる部材を有していてもよい。
【００２０】
検出器１２は、針２１によって指し示される方向、又は、針２１によって指し示される文字板２３の目盛を含む画像を撮影することにより、文字板２３における針２１の位置を検出する。検出器１２は、例えば、固体撮像素子を用いた二次元イメージセンサーである。時刻修正装置１は、暗所等における針２１の位置検出を容易にするため、赤外線や可視光等の光を文字板２３に照射する、発光ダイオード（ＬＥＤ）等の光源を備えてもよい。検出器１２は、載置台１１の下方に配置されるため、時刻修正装置１の高さ方向における寸法の増大を抑制することができる。
【００２１】
図３に示すように、計時回路１４は、例えば、水晶振動子に電圧を印加することによって発振信号を生成する発振回路１４１と、発振信号を分周して、所定の周波数を有する基準信号を生成する分周回路１４２とを備え得る。計時回路１４は、例えば集積回路（ＩＣ）から構成される。計時回路１４は、基準信号に基づいて内部時刻を計時する。計時回路１４は、標準電波や全地球測位システム（ＧＰＳ）衛星からの電波、ＮＴＰ（Network Time Protocol）サーバー等から取得される時刻情報に基づいて、内部時刻を標準時に維持する。このため、時刻修正装置１は、標準電波、放送電波、ＧＰＳ衛星からの電波等を受信するアンテナ、ＮＴＰサーバーからの信号を受信するネットワークインターフェイス（Ｉ／Ｆ）等に相当する通信Ｉ／Ｆ１５を備え得る。ネットワークＩ／Ｆは、第４及び第５世代を含む移動通信システム、公衆回線、近距離無線通信等の各種通信規格により外部装置から時刻情報を取得してもよい。計時回路１４は、通信Ｉ／Ｆ１５を介して外部装置から定期的に取得される時刻情報に応じて、内部時刻を修正するようにしてもよい。
【００２２】
計時回路１４は、原子に固有の周波数に基づいて基準信号を生成する原子時計であってもよい。この場合、時刻修正装置１は、長期間において内部時刻を標準時に維持することが可能であるため、通信Ｉ／Ｆ１５を備えなくてもよい。或いは、計時回路１４は、時計２の指示時刻を所望の時刻に修正する場合において、所望の時刻を内部時刻として計時できればどのような構成であってもよい。
【００２３】
制御回路３０は、例えば、中央演算処理装置（ＣＰＵ）等からなる処理回路３１と、半導体メモリー等からなる記憶装置３２とを備える。制御回路３０は、時刻修正装置１による時刻修正方法に必要な演算を処理するコンピューターシステムを構成する。処理回路３１は、例えば記憶装置３２に記憶されたプログラムを実行することにより、実施形態に記載された各機能を実現する。記憶装置３２は、例えば、処理回路３１の動作に必要な一連の処理のプログラムや各種データを記憶する、コンピューターにより読み取り可能な記憶媒体である。記憶装置３２は、不揮発性の補助記憶装置に限るものでなく、ＣＰＵに内蔵されるレジスター等の揮発性の主記憶装置を含み得る。制御回路３０は、一体のハードウェアから構成されてもよく、別個の複数のハードウェアから構成されてもよい。また、制御回路３０は、計時回路１４を構成するＩＣと兼用されてもよい。
【００２４】
処理回路３１は、針２１の位置を含む画像のデータを、検出器１２から逐次入力される。処理回路３１は、検出器１２から入力された画像から画像処理によって、針２１により指示される指示時刻を取得する。処理回路３１は、例えば、画像から抽出される特徴点に基づいて、針２１及び文字板２３を認識することにより指示時刻を取得する。処理回路３１は、計時回路１４により計時される内部時刻と、針２１により指示される指示時刻とを逐次比較する。処理回路３１は、内部時刻と指示時刻との差異がある限り、操作機構１３を介してりゅうず２２を回転させる。なお、内部時刻及び指示時刻は、互いに比較可能な情報であればよい。このため、例えば処理回路３１は、内部時刻を指示する針を含む画像を内部時刻として生成し、生成された画像と検出器１２から入力された画像とをパターンマッチング等により比較するようにしてもよい。
【００２５】
更に、時刻修正装置１は、例えばユーザーの入力操作に応じて時刻修正方法の開始を制御回路３０に指示する入力Ｉ／Ｆ１６と、制御回路３０による時刻修正方法の開始及び終了をユーザーに通知する出力Ｉ／Ｆ１７とを備え得る。入力Ｉ／Ｆ１６として、例えばプッシュボタンやタッチセンサー等の各種スイッチを採用可能である。出力Ｉ／Ｆ１７として、例えば、光を発する光源、画像や文字を表示するディスプレイ装置、音声を再生するスピーカー等の出力装置を採用可能である。
【００２６】
操作機構１３は、制御回路３０の制御により駆動されるアクチュエーター１３１と、アクチュエーター１３１の駆動に連動してりゅうず２２を操作する操作部１３２とを備える。アクチュエーター１３１は、例えばサーボモーター、ステッピングモーター、超音波モーター等を含む種々のアクチュエーターのうち少なくとも何れかである。アクチュエーター１３１は、制御回路３０による制御に応じて操作部１３２を駆動するものであれば、どのようなアクチュエーターであってもよい。また、アクチュエーター１３１として、複数種類のアクチュエーターの組み合わせを採用してもよい。
【００２７】
図４に示すように、例えば操作部１３２は、りゅうず２２にそれぞれ接触する３つの接触部材４１ａ，４１ｂ，４１ｃを備える。接触部材４１ａ〜４１cは、りゅうず２２に接触して、りゅうず２２の引き出し、押し込み及び回転を実施する。各接触部材４１ａ〜４１ｃは、りゅうず２２の軸Ｐに沿う中心を有する円板又は円柱状である。各接触部材４１ａ〜４１ｃは、軸Ｐに直交する同一平面上に配置され、軸Ｐに向かう方向Ｑに沿って移動することにより、りゅうず２２の側面をチャッキングする。各接触部材４１ａ〜４１ｃは、りゅうず２２をチャッキングした状態で互いに同一方向に自転することにより、りゅうず２２を逆方向に回転させる。また、各接触部材４１ａ〜４１ｃは、互いに一体的に軸Ｐに沿う方向に駆動されることにより、りゅうず２２を引き出す又は押し込む。操作部１３２は、接触部材４１ａ〜４１ｃがりゅうず２２をチャッキングした状態で、規制部１９と共に時計２を挟み込みチャッキングするようにしてもよい。
【００２８】
各接触部材４１ａ〜４１ｃは、アクチュエーター１３１に駆動されることにより方向Ｑに沿って移動してもよく、ばね等によりりゅうず２２に向かう力が与えられてもよい。各接触部材４１ａ〜４１ｃは、りゅうず２２に対する複数種類の操作が可能なように、側面に粗さを有していてもよく、側面をなすエラストマーを備えてもよい。これにより、りゅうず２２に対する操作の際のスリップや傷の発生を抑制することができる。
【００２９】
或いは、例えば図５に示すように、それぞれ自転する接触部材４１ａ〜４１ｃを備える操作部１３２の代わりに、りゅうず２２の回りをそれぞれ公転する接触部材４２ａ〜４２ｃと、接触部材４２ａ〜４２cを保持するキャリア４３とを有する操作部１３２ａを採用してもよい。キャリア４３は、例えばアクチュエーター１３１により駆動される各接触部材４２ａ〜４２ｃが、方向Ｑに沿って移動するように接触部材４２ａ〜４２ｃをガイドする。キャリア４３は、接触部材４２ａ〜４２ｃがりゅうず２２をチャッキングした状態で、接触部材４２ａ〜４２ｃと一体的に軸Ｐの回りに回転したり軸Ｐに沿って移動したりすることにより、りゅうず２２を操作する。その他、操作部１３２は、各種チャック、ロボットハンド、りゅうず２２に設けられた溝に噛み合うギア、ラック、無限軌道及びこれらに相当する様々な構造を有し得る。
【００３０】
また、操作機構１３は、りゅうず２２を操作するときの力を検出したり、変化させたりする構成を有してもよい。例えば、操作機構１３がりゅうず２２を引き出すとき、処理回路３１は、りゅうず２２を引き出す力を時間の経過に連れて上昇させるように操作機構１３を制御するようにしてもよい。これにより、時刻修正装置１は、りゅうず２２を過大な力で操作することによって、時計２に故障が発生することを抑制することができる。
【００３１】
更に、図６に示すように、操作部１３２は、変則的に配置されたりゅうず２２を有する時計２に対応するために、載置台１１上を移動してもよい。例えば、処理回路３１は、検出器１２により撮影されたりゅうず２２を含む画像からりゅうず２２の位置を取得し、りゅうず２２に対応するようにアクチュエーター１３１を介して操作部１３２を駆動する。操作部１３２は、図６に示すように、上方から見た平面パターンにおいて円弧をなす軌道Ｒ上を駆動されるようにしてもよい。操作部１３２は、軌道Ｒ上において更に自転するように駆動されてもよい。また、操作部１３２は、上下方向、即ち、時計２の厚さ方向に沿って駆動されてもよい。りゅうず２２の位置を取得するためのセンサーは、検出器１２と別体であってもよく、操作部１３２に設けられてもよい。りゅうず２２の位置を取得するためのセンサーは、イメージセンサーに限るものでなく、測距センサーや近接センサー等であってもよい。
【００３２】
{時刻修正方法}
図７のフローチャートを参照して、第１実施形態に係る時刻修正装置１により時計２の時刻を修正する方法の一例を説明する。図７に示す一連の処理は、例えば、ユーザーにより時計２が載置台１１の所定位置に載置された状態において、ユーザーの入力操作に応じて入力Ｉ／Ｆ１６から処理回路３１に信号が入力されることにより開始される。時計２が載置台１１に載置され、時刻修正処理の開始前の状態において、ケース２４は載置台１１に相対的に固定され、りゅうず２２は操作部１３２にチャッキングされていてもよい。
【００３３】
先ず、ステップＳ１０１において、処理回路３１は、計時回路１４からの内部時刻の取得を開始する。また、処理回路３１は、検出器１２をオンにして、検出器１２による時計２の針２１の位置の検出を開始する。即ち、検出器１２は、時計２の表示面ｄの画像を撮影する。処理回路３１は、針２１の位置を含む画像のデータを検出器１２から逐次入力する。処理回路３１は、検出器１２から入力された針２１の位置を含む画像のデータから画像処理によって、針２１により指示される指示時刻の取得を開始する。
【００３４】
ステップＳ１０２において、処理回路３１は、計時回路１４により計時される内部時刻と、針２１により指示される指示時刻との差異があるか否かを判定する。処理回路３１は、内部時刻と指示時刻との差異がある場合、ステップＳ１０３に処理を進め、差異がない場合、処理を終了する。
【００３５】
ステップＳ１０３において、処理回路３１は、操作機構１３を制御することにより、りゅうず２２を回転させる前にりゅうず２２を引き出し、通常位置である０段目の位置Ｐ０から、時刻修正位置である１段目の位置Ｐ１に移動させる。なお、時刻修正位置は時計の種類により異なる場合がある。また、時計２が載置台１１に載置される際に、予めユーザーによりりゅうず２２が引き出されるのであれば、りゅうず２２を引き出すステップＳ１０３は省略されてもよい。
【００３６】
ステップＳ１０４において、処理回路３１は、操作機構１３を制御することにより、りゅうず２２を予め設定された一方向、例えば時計回りに回転させる。ステップＳ１０５において、処理回路３１は、ステップＳ１０４におけるりゅうず２２の回転に連動して、検出器１２により検出される針２１の位置、即ち指示時刻が変化するか否かを判定する。処理回路３１は、指示時刻が変化する場合、ステップＳ１０６に処理を進め、変化しない場合、ステップＳ１０７に処理を進める。ステップＳ１０７において、処理回路３１は、りゅうず２２の回転方向を、前回のステップＳ１０４における回転方向と反対方向、例えば反時計回りに設定し、ステップＳ１０４に戻る。
【００３７】
ステップＳ１０６において、処理回路３１は、針２１により指示される指示時刻が、計時回路１４により計時される内部時刻に一致するように、操作機構１３を介してりゅうず２２を回転させる。即ち、処理回路３１は、操作機構１３を制御してりゅうず２２を回転させることにより、指示時刻を内部時刻に修正する。
【００３８】
ステップＳ１０８において、処理回路３１は、操作機構１３を制御することにより、りゅうず２２を押し込み、通常位置の０段目の位置Ｐ０に移動させる。ステップＳ１０６において指示時刻が内部時刻に一致した時点で、ステップＳ１０８においてりゅうず２２を押し込むため、処理回路３１は、時計２の指示時刻を内部時刻と正確に同期させることができる。また、処理回路３１は、検出器１２をオフにする。即ち、処理回路３１は、検出器１２による時計２の針２１の位置の検出を停止して、一連の処理を終了する。処理を終了するとき、処理回路３１は、時計２の時刻修正が完了したことを示す通知を、出力Ｉ／Ｆ１７を介してユーザーに出力してもよい。
【００３９】
なお、上記のステップＳ１０６における処理は、例えば所定のサンプリング周期毎に、内部時刻と指示時刻とを比較し、差異がなくなるまでりゅうず２２を回転させることにより実行される。サンプリング周期は、りゅうず２２を間接的に回転させるアクチュエーター１３１の駆動周波数に応じて設定されてもよく、検出器１２のフレームレートに応じて設定されてもよい。また、上記のステップＳ１０５における処理では、処理回路３１は、指示時刻が内部時刻に近づいたか否かを判定するようにしてもよい。時刻修正位置のりゅうずを双方向に回転させることにより、指示時刻の修正を行う方式の時計において、時刻修正の開始から完了までの時間を短縮できる場合がある。
【００４０】
以上のように、第１実施形態に係る時刻修正装置１によれば、検出器１２により時計２の針２１の位置を検出しながら、自動的にケース２４から露出されたりゅうず２２を操作することにより、時計２の指示時刻を簡単且つ正確に修正することができる。
【００４１】
｛第１変形例｝
上述の第１実施形態では、表示面ｄを下にした状態で時計２が載置台１１に載置される例を説明したが、時計２は、表示面ｄを上にした状態で載置台１１に載置されてもよい。即ち、図８に示すように、第１実施形態の第１変形例に係る時刻修正装置１Ａは、表示面ｄを上にした状態で載置台１１に載置された時計２の針２１の位置を検出するように、時計２より上方に配置された検出器１２Ａを備える。
【００４２】
時刻修正装置１Ａは、例えば、計時回路１４及び制御回路３０を収容する第１筐体１０１と、検出器１２Ａを収容する第２筐体１０２と、第１筐体１０１及び第２筐体１０２の間を連結する連結部１０３とを備える。第１筐体１０１は、載置台１１を有する点において筐体１０と同様である。連結部１０３は、例えば、第１筐体１０１に対して相対的に第２筐体１０２が変位して載置台１１を時計２に対して開放するように、第１筐体１０１及び第２筐体１０２の間を連結するリンク機構である。第２筐体１０２は、例えば、載置台１１に載置された時計２を上方から覆うように配置される。この場合、第２筐体１０２は、光を透過させる観察窓１０４を有し得る。観察窓１０４は、ユーザーが載置台１１に載置された時計２の針２１を観察することを可能にする。観察窓１０４は、ガラス等の透明材料であってもよく貫通孔であってもよい。
【００４３】
検出器１２Ａは、観察窓１０４において光を遮蔽しない構成、例えば、ユーザーが針２１を観察可能な程度に小型又は透明であれば、観察窓１０４の内部に配置されてもよい。透明な撮像素子が観察窓１０４に配置されることにより、ユーザーが針２１を観察可能とする構成を有してもよい。観察窓１０４は、導光板、ハーフミラー、ホログラム等を含む光学系により、観察窓１０４の外部に配置された検出器１２Ａに時計２の表示面ｄの光を導くようにしてもよい。時刻修正装置１Ａは、ユーザーに針２１を見せることにより、時刻修正の実行中であることや完了したことを知らせることができる。
【００４４】
また、第２筐体１０２は、第２筐体１０２又は検出器１２Ａと時計２との距離を変更すように連結部１０３によって高さが調整されてもよい。これにより、時計２と第２筐体１０２との距離が変更可能となるため、時刻修正装置１Ａは、様々な厚さの時計に対応することが可能となる。また、検出器１２Ａとの接触により時計２が損傷する可能性が低減される。
【００４５】
或いは、第２筐体１０２は、時計２に接触し、載置台１１と共に時計２を挟み込むことにより、第２筐体１０２は、規制部１９として機能し得る。この場合、第２筐体１０２のうち時計２に接触する箇所が柔軟な材料により構成されることにより、時計２の損傷を抑制することができる。
【００４６】
｛第２変形例｝
時計２の表示面ｄは水平に配置される必要はなく、検出器１２Ｂの検出方向も表示面ｄの法線方向に沿う必要はない。例えば図９に示すように、第１実施形態の第２変形例に係る時刻修正装置１Ｂは、表示面ｄが、水平面、即ち時刻修正装置１Ｂの底面に対して傾斜するように時計２を載置される載置台１１Ｂを有する。載置台１１Ｂは、表示面ｄが水平面に対して垂直になるように時計２を載置されてもよい。
【００４７】
時刻修正装置１Ｂは、例えば、計時回路１４及び制御回路３０を収容する第１筐体１０１と、検出器１２Ｂを収容する第２筐体１０２とを備える。載置台１１Ｂは、第１筐体１０１と第２筐体１０２との間を連結する。検出器１２Ｂは、載置された時計２の表示面ｄを検出できるように第２筐体１０２に配置される。例えば、表示面ｄが上向きに傾斜する場合、検出器１２Ｂは、時計２の上方から下向きに表示面ｄの画像を撮影する。これにより、検出器１２Ｂは、検出方向、即ち検出器１２Ｂの光軸の方向と表示面ｄとのなす角が鋭角となるように針２１の位置を検出する。
【００４８】
検出器１２Ｂから処理回路３１に入力される画像は、表示面ｄに対して傾斜して撮影した画像であるため、法線方向から見た表示面ｄに比して歪みを有している。このため、処理回路３１は、検出器１２Ｂから入力された画像に対してアフィン変換等の画像処理を行うことにより、歪みが解消された補正画像を生成してもよい。処理回路３１は、更なる画像処理によって補正画像から、針２１により指示される指示時刻を取得し得る。
【００４９】
時刻修正装置１Ｂによれば、載置台１１Ｂの上方に位置する第１筐体１０１が、載置台１１Ｂを覆わないため、ユーザーは簡単に時計２を載置することができる。また、時刻修正装置１Ｂによれば、時計２の表示面ｄが光学的に遮蔽されないため、ユーザーは載置台１１Ｂに載置された時計２の針２１を観察することができる。
【００５０】
［第２実施形態］
第２実施形態に係る時刻修正装置は、図１０に示すように、カレンダー指示部２６を備える時計２Ｃの指示時刻及び指示カレンダーを修正する点で上述の第１実施形態と異なる。第２実施形態において説明しない構成、作用及び効果は、第１実施形態と同様であるため省略する。第２実施形態に係る時刻修正装置は、上述の時刻修正装置１，１Ａ，１Ｂの何れかと同様の機械的構造を有し得る。以下において、第２実施形態に係る時刻修正装置を、別途説明のない限り、図１及び図３に示す時刻修正装置１と同様の機械的構造を有する時刻修正装置１Ｃとして、例示的に説明する。
【００５１】
時計２Ｃは、例えば、カレンダー指示部２６に関する構成を除いて上述の時計２と同様の構成を有する。カレンダー指示部２６は、日付、曜日、月、月齢、年等の少なくとも何れかであるカレンダーを指示する。カレンダー指示部２６は、例えば、曜日指示部２６１と、日付指示部２６２とを備える。曜日指示部２６１は、例えば曜車と、曜車に印された曜日を選択的に表示することにより曜日を指示する表示窓とを備える。日付指示部２６２は、例えば、日車と、日車に印された日付を選択的に表示することにより日付を指示する表示窓とを備える。曜日指示部２６１の表示窓は、日付指示部２６２の表示窓と共用され得る。カレンダー指示部２６は、文字板２３に印された日付、曜日等のカレンダーを針が指示する構成であってもよい。
【００５２】
例えば図１０に示すように、りゅうず２２は、時計２Ｃにおける０段目の位置Ｐ０、１段目の位置Ｐ１、及び２段目の位置Ｐ２に段階的に移動する。時計２Ｃにおいて位置Ｐ０は通常位置、位置Ｐ１はカレンダー修正位置、位置Ｐ２は時刻修正位置である。例えば、りゅうず２２が通常位置にあるとき、針２１は、時計２Ｃが計時する時刻を指示し、りゅうず２２が時刻修正位置にあるとき、針２１は、りゅうず２２の回転に連動する。りゅうず２２がカレンダー修正位置にあるとき、カレンダー指示部２６は、りゅうず２２の回転に連動して指示する日付、曜日等のカレンダーを変化させる。
【００５３】
時刻修正装置１Ｃにおいて、計時回路１４は、内部時刻と、日付、曜日、月、月齢、年等の少なくとも何れかである内部カレンダーとを計時する。時刻修正装置１Ｃが通信Ｉ／Ｆ１５を備える場合、計時回路１４は、外部装置から通信Ｉ／Ｆ１５を介して、時刻及びカレンダーに関する情報を取得し、例えば定期的に内部時刻及び内部カレンダーを修正するようにしてもよい。
【００５４】
検出器１２は、例えば、表示面ｄに表示されるカレンダー指示部２６を検出する。具体的には、検出器１２は、カレンダー指示部２６において指示された指示カレンダーを含む表示面ｄの画像を撮影し、撮影した画像のデータを処理回路３１に逐次出力する。時刻修正装置１Ｃの処理回路３１は、入力した画像に対して画像処理することにより、カレンダー指示部２６において指示された日付、曜日等を認識する。このように、処理回路３１は、例えば、日付を示す数字や、曜日を示す文字や記号を認識することにより、カレンダー指示部２６に指示された指示カレンダーを取得する。
【００５５】
時刻修正装置１Ｃにおいて、処理回路３１は、指示カレンダーと内部カレンダーとの差異に応じて操作機構１３を制御してりゅうず２２を回転することにより、指示カレンダーを内部カレンダーに修正する。即ち、処理回路３１は、計時回路１４により計時される内部カレンダーと、カレンダー指示部２６により指示される指示カレンダーとを逐次比較する。このため、指示カレンダー及び内部カレンダーは、互いに比較可能な情報であればよい。
【００５６】
操作機構１３は、りゅうず２２に対する引き出し、押し込み及び回転等の操作を行う。操作機構１３は、りゅうず２２を操作するときの力を検出したり、変化させたりする構成を有してもよい。例えば、処理回路３１は、力覚センサーにより検出される、操作機構１３がりゅうず２２を引き出す力の変化に応じて、りゅうず２２がどの位置にあるかを判定するようにしてもよい。また、操作機構１３は、操作部１３２の変位量を検出する構成を有していてもよい。この場合、処理回路３１は、りゅうず２２の軸方向に沿う操作部１３２の変位量に応じて、りゅうず２２の軸方向の位置を判定し得る。
【００５７】
｛時刻修正方法｝
図１１及び図１２のフローチャートを参照して、第２実施形態に係る時刻修正装置１Ｃにより時計２Ｃの時刻を修正する方法の一例を説明する。第１実施形態と同様に、図１１及び図１２に示す一連の処理は、例えばユーザーの入力操作に応じて入力Ｉ／Ｆ１６から処理回路３１に信号が入力されることにより開始される。
【００５８】
先ず、図１１のステップＳ２０１において、処理回路３１は、計時回路１４からの内部時刻の取得を開始する。また、処理回路３１は、検出器１２をオンにして、検出器１２による時計２Ｃの針２１の位置の検出を開始する。処理回路３１は、検出器１２により検出された針２１の位置から、針２１により指示される指示時刻の取得を開始する。
【００５９】
ステップＳ２０２において、処理回路３１は、計時回路１４により計時される内部時刻と、針２１により指示される指示時刻との差異があるか否かを判定する。処理回路３１は、内部時刻と指示時刻との差異がある場合、ステップＳ２０３に処理を進め、差異がない場合、ステップＳ２１２に処理を進める。
【００６０】
ステップＳ２０３において、処理回路３１は、操作機構１３を制御することにより、時計２Ｃのりゅうず２２を引き出し、時計２Ｃの時刻修正位置である２段目の位置Ｐ２に移動させる。第１実施形態と同様に、予めユーザーによりりゅうず２２が引き出されるのであれば、りゅうず２２を引き出すステップＳ２０３は省略されてもよい。
【００６１】
ステップＳ２０４において、処理回路３１は、操作機構１３を制御することにより、りゅうず２２を予め設定された一方向、例えば時計回りに回転させる。ステップＳ２０５において、処理回路３１は、検出器１２により検出される針２１の位置、即ち指示時刻が順方向に変化するか否かを判定する。処理回路３１は、指示時刻が変化する場合、ステップＳ２０６に処理を進め、変化しない場合、ステップＳ２０７に処理を進める。ステップＳ２０７において、処理回路３１は、りゅうず２２の回転方向を、前回のステップＳ２０４における回転方向と反対方向、例えば反時計回りに設定し、ステップＳ２０４に戻る。
【００６２】
ステップＳ２０６において、処理回路３１は、時針２１ａが１２時の位置を通過するように、操作機構１３を介してりゅうず２２を回転させる。処理回路３１は、検出器１２により検出された時針２１ａの位置が１２時の位置を通過した時点で、ステップＳ２０８に処理を進める。
【００６３】
ステップＳ２０８において、処理回路３１は、ステップＳ２０６で時針２１ａが１２時の位置を通過したことに応じて、日付指示部２６２において指示される日付が変化したか否かを判定する。即ち、処理回路３１は、検出器１２により検出される、日付指示部２６２を含む画像を画像処理することにより指示される日付を認識し、認識した日付変化するか否かを判定する。日付が変化した場合、ステップＳ２０９において、処理回路３１は、指示時刻が午前であると確定する。日付が変化しない場合、ステップＳ２１０において、処理回路３１は、指示時刻が午後であると確定する。
【００６４】
ステップＳ２１１において、処理回路３１は、操作機構１３を制御してりゅうず２２を回転させることにより、ステップＳ２０９又はステップＳ２１０で確定した指示時刻を内部時刻に修正する。即ち、処理回路３１は、午前及び午後を考慮して、指示時刻が計時回路１４により計時される内部時刻に一致するように、操作機構１３を介してりゅうず２２を回転させる。
【００６５】
次いで、図１２のステップＳ２１２において、処理回路３１は、計時回路１４により計時される内部カレンダーと、検出器１２により取得される指示カレンダーとの差異があるか否かを判定する。即ち、処理回路３１は、カレンダー指示部２６における指示カレンダーとして、日付及び曜日が指示される場合、内部カレンダーにおける日付及び曜日と、検出器１２により取得される指示カレンダーとを逐次比較して、差異があるか否か判定する。処理回路３１は、内部カレンダーと指示カレンダーとの差異がある場合、ステップＳ２１３に処理を進め、差異がない場合、ステップＳ２２４に処理を進める。
【００６６】
ステップＳ２１３において、処理回路３１は、操作機構１３を制御することにより、時計２Ｃのりゅうず２２を、カレンダー修正位置である１段目の位置Ｐ１に移動させる。即ち、処理回路３１は、ステップＳ２１２においてりゅうず２２が時刻修正位置である２段目の位置Ｐ２にある場合、りゅうず２２を１段押し込み、通常位置である０段目の位置Ｐ０にある場合、りゅうず２２を１段引き出す。
【００６７】
ステップＳ２１４において、処理回路３１は、操作機構１３を制御することにより、りゅうず２２を予め設定された一方向、例えば時計回りに回転させる。ステップＳ２１５において、処理回路３１は、ステップＳ２１４におけるりゅうず２２の回転に連動して、指示カレンダーの日付が変化するか否かを判定する。処理回路３１は、日付が変化する場合、ステップＳ２１６に処理を進め、日付が変化しない場合、ステップＳ２１７に処理を進める。
【００６８】
ステップＳ２１６において、処理回路３１は、検出器１２により取得される指示カレンダーの日付が、計時回路１４により計時される内部カレンダーの日付に一致するように、操作機構１３を介して、りゅうず２２をステップＳ２１４における回転方向に回転させる。即ち、処理回路３１は、操作機構１３を制御してりゅうず２２を回転させることにより、日付指示部２６２において指示される日付を、内部カレンダーの日付に修正する。
【００６９】
ステップＳ２１７において、処理回路３１は、ステップＳ２１４におけるりゅうずの回転に連動して、指示カレンダーの曜日が変化するか否かを判定する。処理回路３１は、曜日が変化する場合、ステップＳ２１８に処理を進め、曜日が変化しない場合、ステップＳ２１９に処理を進める。
【００７０】
ステップＳ２１８において、処理回路３１は、検出器１２により取得される指示カレンダーの曜日が、計時回路１４により計時される内部カレンダーの曜日に一致するように、操作機構１３を介して、りゅうず２２をステップＳ２１４における回転方向に回転させる。即ち、処理回路３１は、操作機構１３を制御してりゅうず２２を回転させることにより、曜日指示部２６１において指示される曜日を、内部カレンダーの曜日に修正する。
【００７１】
ステップＳ２１９において、処理回路３１は、ステップＳ２１４における回転方向と反対方向、例えば反時計回りに回転させる。ステップＳ２２０において、処理回路３１は、ステップＳ２１９におけるりゅうず２２の回転に連動して、指示カレンダーの日付が変化するか否かを判定する。処理回路３１は、日付が変化する場合、ステップＳ２２１に処理を進め、日付が変化しない場合、ステップＳ２２２に処理を進める。
【００７２】
ステップＳ２２１において、処理回路３１は、検出器１２により取得される指示カレンダーの日付が、計時回路１４により計時される内部カレンダーの日付に一致するように、操作機構１３を介して、りゅうず２２をステップＳ２１９における回転方向に回転させる。処理回路３１は、操作機構１３を制御してりゅうず２２を回転させることにより、日付指示部２６２において指示される日付を、内部カレンダーの日付に修正する。
【００７３】
ステップＳ２２２において、処理回路３１は、ステップＳ２１９におけるりゅうずの回転に連動して、指示カレンダーの曜日が変化するか否かを判定する。処理回路３１は、曜日が変化する場合、ステップＳ２２３に処理を進め、曜日が変化しない場合、ステップＳ２２４に処理を進める。
【００７４】
ステップＳ２２３において、処理回路３１は、検出器１２により取得される指示カレンダーの曜日が、計時回路１４により計時される内部カレンダーの曜日に一致するように、操作機構１３を介して、りゅうず２２をステップＳ２１９における回転方向に回転させる。処理回路３１は、操作機構１３を制御してりゅうず２２を回転させることにより、曜日指示部２６１において指示される曜日を、内部カレンダーの曜日に修正する。
【００７５】
ステップＳ２２４において、処理回路３１は、操作機構１３を制御することにより、時計２Ｃのりゅうず２２を、通常位置である０段目の位置Ｐ０に移動させて処理を終了する。即ち、処理回路３１は、ステップＳ２２４の処理の直前において、りゅうず２２が、カレンダー修正位置である１段目の位置Ｐ１にある場合、りゅうず２２を１段押し込み、時刻修正位置である２段目の位置Ｐ２にある場合、りゅうず２２を２段押し込む。或いは、りゅうず２２が既に通常位置である０段目の位置Ｐ０にある場合、処理回路３１は、りゅうず２２を位置Ｐ０に維持する。
【００７６】
以上のように、時刻修正装置１Ｃの処理回路３１は、ステップＳ２１１において指示時刻が内部時刻に一致した時点で、ステップＳ２１２において、ステップＳ２１３又はステップＳ２２４に処理を進めることが判定される。りゅうず２２は、ステップＳ２１３ではカレンダー修正位置に移動され、ステップＳ２２４では通常位置に移動される。りゅうず２２がカレンダー修正位置及び通常位置の何れに移動される場合であっても、りゅうず２２が時刻修正位置にある間において停止していた針２１は駆動を開始する。このように、時計２Ｃの指示時刻は、時刻修正装置１Ｃの内部時刻に正確に同期するように修正される。
【００７７】
［第３実施形態］
第３実施形態に係る時刻修正装置は、キャリバー毎に異なる操作パターンによって時計の時刻修正を行う点で上述の第１及び第２実施形態と異なる。第３実施形態において説明しない構成、作用及び効果は、第１及び第２実施形態と同様であるため省略する。第３実施形態に係る時刻修正装置は、上述の時刻修正装置１，１Ａ，１Ｂの何れかと同様の機械的構造を有し得る。以下において、第３実施形態に係る時刻修正装置を、別途説明のない限り、図１及び図３に示す時刻修正装置１と同様の機械的構造を有する時刻修正装置１Ｄとして、例示的に説明する。
【００７８】
時刻修正装置１Ｄの記憶装置３２は、図１３に示すように、各キャリバーに固有のりゅうずの操作パターンを記録された電子データであるキャリバー情報３２１を記憶する。ここで、キャリバーとは、時計のムーブメントの同一性を示す形式を意味する。ムーブメントは、ケース２４に収容された構成部品のモジュールである。キャリバー情報３２１は、りゅうずの位置及び回転方向にそれぞれ対応する修正項目と、操作パターンとを、複数のキャリバー毎に関連付けて記録される。操作パターンは、時刻修正装置１Ｄにおいて時計の時刻を修正するための一連の処理回路３１による処理のパターンであり得る。
【００７９】
例えば、時刻修正装置１Ｄの処理回路３１は、入力Ｉ／Ｆ１６に対するユーザーの入力操作により入力Ｉ／Ｆ１６から入力される、起動を命令する信号に応じて、液晶ディスプレイ等の表示装置である出力Ｉ／Ｆ１７に、キャリバー情報３２１に記録されたキャリバーのリストを表示させる。入力Ｉ／Ｆ１６は、キャリバーのリストから、載置台１１に載置された時計のキャリバーを選択するユーザーの入力操作に応じて、キャリバー情報３２１に記録された複数のキャリバーから１つのキャリバーを特定する信号を処理回路３１に出力する。処理回路３１は、特定されたキャリバーに対応する操作パターンにより、操作機構１３を制御してりゅうず２２を操作する。
【００８０】
例えば、日付及び曜日等のカレンダーを表示する機能を有しない時計２のキャリバーが、図１３に示すようにＸ２という名称である場合を仮定する。処理回路３１は、記憶装置３２からキャリバー情報３２１を読み出し、キャリバー情報３２１に記録されたキャリバーの各名称を、表示装置である出力Ｉ／Ｆ１７を介してユーザーに提示する。入力Ｉ／Ｆ１６は、ユーザーによる入力操作に応じてＸ２のキャリバーを特定する信号を処理回路３１に出力する。処理回路３１は、キャリバー情報３２１を参照して、特定されたＸ２のキャリバーに関連付けられた、Ｙ２の操作パターンを特定する。処理回路３１は、特定したＹ２の操作パターンにより、操作機構１３を制御してりゅうず２２を操作する。
【００８１】
例えば、Ｙ２の操作パターンは、図７のフローチャートのように、日付及び曜日等のカレンダーを修正するための処理を含まない一連の処理のパターンであり得る。Ｘ２のキャリバーでは、りゅうず２２が１段目の位置Ｐ１において反時計回りに回転する場合のみに指示時刻が修正される。このため、初回のステップＳ１０４における回転方向である、予め設定された一方向は、反時計回りであってもよい。加えて、ステップＳ１０５において、処理回路３１は、指示時刻が変化しないと判定する場合、りゅうずの回転方向を反対方向に変更せず、出力Ｉ／Ｆ１７を介して、ユーザーにエラーを通知してもよい。
【００８２】
或いは、日付及び曜日のカレンダーを表示する機能を有する時計２Ｃのキャリバーの名称が、図１３に示すＸ１である場合、Ｙ１の操作パターンは、図１１及び図１２のフローチャートに示す一連の処理であってもよい。操作パターンにおける回転方向や検出対象等の設定は、キャリバー情報３２１に記録される、りゅうず２２の修正項目に応じて適宜変更されてもよい。
【００８３】
なお、図１３に示すキャリバー情報３２１において、Ｘ３のキャリバーは、１段目の位置Ｐ１に位置するりゅうずが時計回り及び反時計回りの何れの方向に回転しても日付が変更される。時刻修正対象である時計のキャリバーがＸ３の場合、処理回路３１は、例えば、りゅうずを回転させることによって、指示カレンダーの日付と内部カレンダーの日付との差が大きくなるか否かを判定するようにしてもよい。処理回路３１は、差が大きくなる場合に回転方向を反対方向に設定し、差が小さくなる場合に回転方向を維持するようにしてもよい。
【００８４】
以上のように、時刻修正装置１Ｄの処理回路３１は、載置台１１に載置される時計のキャリバーに固有のパターンにより、操作機構１３を制御してりゅうず２２を操作する。このため、時刻修正装置１Ｄによれば、りゅうず２２を不要な位置に移動させたり、不要な方向に回転させたりすることを省略することにより、時刻修正の開始から完了までの時間を短縮させることができる。
【００８５】
［他の実施形態］
以上のように第１乃至第３実施形態を説明したが、本発明はこれらの開示に限定されるものではない。各部の構成は、同様の機能を有する任意の構成に置換されてよく、また、本発明の技術的範囲内において、各実施形態における任意の構成が省略されたり追加されたりしてもよい。このように、これらの開示から当業者には様々な代替の実施形態が明らかになる。
【００８６】
例えば、第１実施形態において、操作機構１３は、りゅうず２２の引き出し及び押し込みを行う構成を有しなくてもよい。この場合、時計２は、ユーザーによりりゅうず２２が引き出された状態で、載置台１１に載置される。そして、処理回路３１は、指示時刻の修正が完了した後も、指示時刻が内部時刻に一致した状態で、りゅうず２２の回転を継続させる。ユーザーは、時計２を載置台１１から取り外した時点でりゅうず２２を通常位置に押し込めばよい。これにより、内部時刻とのわずかな差が指示時刻に生じ得るが、時刻修正装置の製造コストを低減することができる。
【００８７】
また、第１乃至第３実施形態において、処理回路３１は、操作機構１３を介して、指示時刻が０秒のときにりゅうず２２を引き出し、内部時刻が０秒のときにりゅうず２２を押し込むようにしてもよい。
【００８８】
また、第１及び第２実施形態において、時刻修正方法は、入力Ｉ／Ｆ１６に対するユーザーの操作をトリガーに開始されるが、載置台１１における所定位置に時計２が載置されることに応じて自動的に実行されてもよい。この場合、時刻修正装置は、入力Ｉ／Ｆ１６として、載置台１１に時計が載置されたことを検出する、近接センサー等のセンサーを備え得る。
【００８９】
また、第１及び第２実施形態において、処理回路３１は、第３実施形態と同様に、りゅうず２２の回転に連動して指示時刻が変化しない場合に、出力Ｉ／Ｆ１７を介してユーザーにエラーを通知するようにしてもよい。更に、第２乃至第３実施形態において、処理回路３１は、りゅうず２２の回転に連動して指示カレンダーが変化しない場合、操作機構１３によりりゅうず２２が軸方向に移動しない場合等において、出力Ｉ／Ｆ１７を介してユーザーにエラーを通知するようにしてもよい。これによりユーザーは、故障やりゅうずのロック機構に気が付くことができる場合がある。
【００９０】
また、第３実施形態において、キャリバーの特定は、ユーザーの入力操作なく行われてもよい。例えば、記憶装置３２は、複数種類の表示面ｄの画像にそれぞれ関連付けられたキャリバーを記録されたデータベースを記憶する。処理回路３１は、データベースを参照して、検出器１２により撮影された表示面ｄの画像に対応するキャリバーを特定するようにしてもよい。更に、キャリバーは、スマートフォン等の外部装置を用いて特定されてもよい。例えばユーザーは、スマートフォンに表示されたキャリバーのリストから１つのキャリバーを選択する。処理回路３１は、通信Ｉ／Ｆ１５を介して、選択されたキャリバーの情報をスマートフォンから取得することによりキャリバーを特定し得る。
【００９１】
加えて、第１乃至第３実施形態において、時刻修正装置は、機械式時計のぜんまいを巻く機能を有してもよい。例えば、入力Ｉ／Ｆ１６は、ユーザーの入力操作に応じて、ぜんまい巻きの実行を命令する信号を処理回路３１に出力する。これに応じて処理回路３１は、操作機構１３を制御して、通常位置のりゅうず２２を回転させる。これにより時計の種類によっては、ぜんまいが巻かれる。或いは、時刻修正装置は、自動巻時計又は自動巻発電時計を動かすため、載置台１１を駆動するワインダーの機構を有してもよい。
【００９２】
また、第１乃至第３実施形態において、時刻修正装置が出力Ｉ／Ｆ１７として表示装置を備える場合、処理回路３１は、計時回路１４により計時される内部時刻の他、通信Ｉ／Ｆ１５により取得された日時、天気等の情報を表示装置に表示するようにしてもよい。これにより、時計の時刻修正を実行しないときでも時刻修正装置を情報提示装置として使用することが可能である。
【００９３】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００９４】
以下に、上述した実施形態から導き出される内容を記載する。
【００９５】
時刻修正装置は、時計が載置される載置台と、前記載置台に載置された前記時計の針の位置を検出する検出器と、前記載置台に載置された前記時計のりゅうずを操作する操作機構と、内部時刻を計時する計時回路と、前記針の位置から、前記針により指示される指示時刻を取得し、前記内部時刻と前記指示時刻との差異に応じて前記操作機構を制御して前記りゅうずを回転させることにより、前記指示時刻を前記内部時刻に修正する制御回路とを備える。
【００９６】
この構成によれば、検出器により時計の針の位置を検出しながら、操作機構がりゅうずを操作することにより、時計の指示時刻を簡便に修正することができる。
【００９７】
上記の時刻修正装置において、前記制御回路は、前記りゅうずを回転させる前に前記操作機構を制御して、前記針が前記りゅうずの回転に連動する時刻修正位置に前記りゅうずを引き出すようにしてもよい。
【００９８】
この構成によれば、例えばユーザーがりゅうずを引き出す必要がないため、時計の指示時刻をより簡便に修正することができる。
【００９９】
上記の時刻修正装置において、前記制御回路は、前記りゅうずを引き出す力を時間の経過に連れて上昇させるように前記操作機構を制御するようにしてもよい。
【０１００】
この構成によれば、例えばりゅうずを引き出す過大な力が突然発生することによって時計が故障することを抑制できる。
【０１０１】
上記の時刻修正装置において、前記制御回路は、前記指示時刻が前記内部時刻に一致した時点で、前記操作機構を制御して、前記針が時刻に同期して駆動する通常位置に前記りゅうずを押し込むようにしてもよい。
【０１０２】
この構成によれば、指示時刻が内部時刻に一致した状態で針の駆動が開始されるため、指示時刻が内部時刻に正確に同期した状態で時刻修正を完了することができる。
【０１０３】
上記の時刻修正装置において、前記制御回路は、前記時計のキャリバーに固有のパターンにより、前記操作機構を制御して前記りゅうずを操作するようにしてもよい。
【０１０４】
この構成によれば、キャリバー毎に異なる操作パターンでりゅうずを操作することにより、不要な操作を省略して、時刻修正の開始から完了までの時間を短縮させることができる。
【０１０５】
上記の時刻修正装置において、前記検出器は、前記針によって指し示される、前記時計の文字板の目盛を含む画像を撮影することにより、前記針の位置を検出してもよい。
【０１０６】
この構成によれば、検出器により撮影された時計の画像から針の位置を検出することにより、時計の指示時刻を取得しながら指示時刻を修正することができる。
【０１０７】
上記の時刻修正装置において、前記検出器は、固体撮像素子を用いた二次元イメージセンサーであってもよい。
【０１０８】
この個性によれば、二次元イメージセンサーにより撮影された時計の画像から針の位置を検出することにより、時計の指示時刻を取得しながら指示時刻を修正することができる。
【０１０９】
時刻修正方法は、載置台に載置された時計の針の位置を検出器により検出することと、計時回路により内部時刻を計時することと、前記針の位置から、前記針により指示される指示時刻を、制御回路により取得することと、前記制御回路により、前記内部時刻と前記指示時刻との差異に応じて、前記載置台に載置された前記時計のりゅうずを操作する操作機構を制御して前記りゅうずを回転させることにより、前記指示時刻を前記内部時刻に修正することとを含む。
【０１１０】
この構成によれば、検出器により時計の針の位置を検出しながら、自動的にりゅうずを操作することにより、時計の指示時刻を簡便に修正することができる。
【符号の説明】
【０１１１】
１，１Ａ，１Ｂ，１Ｃ，１Ｄ…時刻修正装置、２，２Ｃ…時計、１０…筐体、１１，１１Ｂ…載置台、１２，１２Ａ，１２Ｂ…検出器、１３…操作機構、１４…計時回路、１９…規制部、２１…針、２１ａ…時針、２１ｂ…分針、２１ｃ…秒針、２３…文字板、２４…ケース、２５…バンド、２６…カレンダー指示部、３０…制御回路、３１…処理回路、３２…記憶装置、４１ａ〜４１ｃ，４２ａ〜４２ｃ…接触部材、４３…キャリア、１０１…第１筐体、１０２…第２筐体、１０３…連結部、１０４…観察窓、１１０…検出窓、１３１…アクチュエーター、１３２…操作部、１４１…発振回路、１４２…分周回路、２６１…曜日指示部、２６２…日付指示部、３２１…キャリバー情報、１５…通信Ｉ／Ｆ、１６…入力Ｉ／Ｆ、１７…出力Ｉ／Ｆ、Ｐ０，Ｐ１，Ｐ２…位置。
【図１】
2020067409.tif 000003
【図２】
2020067409.tif 000004
【図３】
2020067409.tif 000005
【図４】
2020067409.tif 000006
【図５】
2020067409.tif 000007
【図６】
2020067409.tif 000008
【図７】
2020067409.tif 000009
【図８】
2020067409.tif 000010
【図９】
2020067409.tif 000011
【図１０】
2020067409.tif 000012
【図１１】
2020067409.tif 000013
【図１２】
2020067409.tif 000014
【図１３】
2020067409.tif 000015